(57)【特許請求の範囲】
【請求項１】
送信装置がディジタル映像情報を含む番組を受信装置に送信する番組伝送方法において、
前記番組を前記受信装置が加工することの可否を示す加工制御情報を、前記番組とともに前記送信装置から前記受信装置へ送信し、
前記加工制御情報は、前記番組の加工の履歴を示す加工履歴情報を含むことを特徴とする番組伝送方法。
【請求項２】
送信装置がディジタル映像情報を含む番組を受信装置に送信する番組伝送方法において、
前記番組を前記受信装置が加工することの可否を示す加工制御情報を、前記番組とともに前記送信装置から前記受信装置へ送信し、
前記加工制御情報は、前記番組の加工が行われた後の処理を示す加工後処理情報を含むことを特徴とする番組伝送方法。
【請求項３】
前記加工制御情報は、前記番組の編集を制御する編集制御情報を含むことを特徴とする請求項１又は２記載の番組伝送方法。
【請求項４】
前記編集制御情報は、前記番組を時間的に編集する時間軸方向編集情報を含むことを特徴とする請求項３記載の番組伝送方法。
【請求項５】
前記編集制御情報は、前記番組を空間的に編集する１フレーム面内編集情報を含むことを特徴とする請求項３記載の番組伝送方法。
【請求項６】
前記編集制御情報は、前記番組から静止画を取り出す静止画取り出し情報を含むことを特徴とする請求項３記載の番組伝送方法。
【請求項７】
前記加工制御情報は、前記番組の映像情報の属性を変更する属性変更情報を含むことを特徴とする請求項１又は２記載の番組伝送方法。
【請求項８】
前記加工制御情報は、前記番組のデータに電子透かしとして埋め込まれていることを特徴とする請求項１又は２記載の番組伝送方法。
【請求項９】
前記番組のデータに電子透かしとして埋め込まれているとは、前記データが圧縮される過程において、前記加工制御情報が前記データに埋め込まれたものであることを特徴とする請求項８記載の番組伝送方法。
【請求項１０】
前記番組のデータに電子透かしとして埋め込まれているとは、前記データが圧縮される前に、前記加工制御情報が前記データに埋め込まれたものであることを特徴とする請求項８記載の番組伝送方法。
【請求項１１】
前記加工制御情報は、暗号化して伝送されることを特徴とする請求項１又は２記載の番組伝送方法。
【請求項１２】
前記加工後処理情報は、前記番組の再配信を禁止するあるいは再配信を許可する情報を含むものであることを特徴とする請求項２記載の番組伝送方法。
【請求項１３】
前記加工後処理情報は、前記番組の表示を禁止する又は表示を許可する情報を含むものであることを特徴とする請求項２記載の番組伝送方法。
【請求項１４】
請求項１又は２記載の番組伝送方法によって伝送された番組とその番組についての前記加工制御情報とを受信する受信手段と、
前記加工制御情報を抽出する加工制御情報抽出手段と、
前記加工制御情報に従って前記番組を加工する加工手段とを備えたことを特徴とする受信装置。
【請求項１５】
前記加工制御情報は、前記番組の編集を制御する編集制御情報を含み、
前記加工手段は、前記編集制御情報に従って、前記番組を編集することを特徴とする請求項１４記載の受信装置。
【請求項１６】
前記編集制御情報は、前記番組を時間的に編集する時間軸方向編集情報を含み、
前記加工手段は、前記時間軸方向編集情報に従って、前記番組に対して前記時間軸方向編集を行うことを特徴とする請求項１５記載の受信装置。
【請求項１７】
前記編集制御情報は、前記番組を空間的に編集する１フレーム面内編集情報を含み、
前記加工手段は、前記１フレーム面内編集情報に従って、前記番組に対して前記１フレーム面内編集を行うことを特徴とする請求項１５記載の受信装置。
【請求項１８】
前記編集制御情報は、前記番組から静止画を取り出す静止画取り出し情報を含み、
前記加工手段は、前記静止画取り出し情報に従って、前記番組から静止画を取り出すことを特徴とする請求項１５記載の受信装置。
【請求項１９】
前記加工制御情報は、前記番組の映像情報の属性を変更する属性変更情報を含み、
前記加工手段は、前記属性変更情報に従って、前記番組の映像情報の属性を変更することを特徴とする請求項１４記載の受信装置。
【請求項２０】
前記加工制御情報抽出手段は、前記加工履歴情報を抽出し、
前記加工手段は、前記加工制御情報に従って、前記抽出された加工履歴情報を更新することを特徴とする請求項１４記載の受信装置。
【請求項２１】
前記加工履歴情報は、前記番組の映像情報の属性を変更したかどうかを示す情報を含むことを特徴とする請求項２０記載の受信装置。
【請求項２２】
前記加工履歴情報は、前記番組の著作権者の世代を管理する世代管理情報を含むことを特徴とする請求項２０記載の受信装置。
【請求項２３】
前記加工制御情報抽出手段は、前記加工後処理情報を抽出し、
前記加工手段は、前記加工後処理情報に従って、前記加工後の番組を後処理することを特徴とする請求項１４記載の受信装置。
【請求項２４】
前記加工後処理情報は、前記加工後の番組の記録を許可するかどうかを示す記録許可情報を含むことを特徴とする請求項１４記載の受信装置。
【請求項２５】
前記加工制御情報は、前記番組のデータに電子透かしとして埋め込まれていることを特徴とする請求項１４記載の受信装置。
【請求項２６】
前記番組のデータに電子透かしとして埋め込まれているとは、前記データが圧縮される過程において、前記加工制御情報が前記データに埋め込まれたものであることを特徴とする請求項２５記載の受信装置。
【請求項２７】
前記番組のデータに電子透かしとして埋め込まれているとは、前記データが圧縮される前に、前記加工制御情報が前記データに埋め込まれたものであることを特徴とする請求項２５記載の受信装置。
【請求項２８】
前記加工制御情報は、暗号化して伝送されることを特徴とする請求項１４記載の受信装置。
【請求項２９】
前記加工後処理情報は、前記加工後の前記番組の再配信を禁止する又は再配信を許可する情報を含むことを特徴とする請求項１４記載の受信装置。
【請求項３０】
前記加工後処理情報は、前記加工後の前記番組の表示を禁止する又は表示を許可する情報を含むことを特徴とする請求項１４記載の受信装置。
【請求項３１】
請求項１記載の番組伝送方法の前記番組を前記受信装置が加工することの可否を示す加工制御情報を、前記番組とともに前記送信装置から前記受信装置へ送信する工程をコンピュータにより実行させるためのプログラムを記録したプログラム記録媒体であって、
コンピュータにより読み取り可能であることを特徴とするプログラム記録媒体。
【請求項３２】
請求項１４記載の受信装置の、請求項１又は２記載の番組伝送方法によって伝送された番組とその番組についての前記加工制御情報とを受信する受信手段と、前記加工制御情報を抽出する加工制御情報抽出手段と、前記加工制御情報に従って前記番組を加工する加工手段としてコンピュータを機能させるためのプログラムを記録したプログラム記録媒体であって、
コンピュータにより読み取り可能であることを特徴とするプログラム記録媒体。
【発明の詳細な説明】
【０００１】
【発明の属する技術分野】
本発明は、番組を送信側から受信側に送信する番組伝送方法、送られてきた番組を受信する受信装置、及びプログラム記録媒体に関するものである。
【０００２】
【従来の技術】
従来のディジタル放送における番組配信を図９に示す。図９において、１は番組データ、２は第１の圧縮手段、３は番組仕様情報作成手段、４は多重化手段、５は送信手段、６は放送電波、７は受信手段、８は多重化分離手段、９は第１の復号手段、１０は表示手段、１１は番組仕様情報蓄積手段である。
【０００３】
番組データ１は、映像番組内容がディジタル情報として蓄積されたものである。  第１の圧縮手段２は、番組データ１をＭＰＥＧ−２ビデオ（ＩＳＯ／ＩＥＣ１３８１８−２）等の方法によって圧縮する。
【０００４】
番組仕様情報作成手段３は、番組データ１に伴う各番組毎の放送時間、タイトル、内容等の番組仕様情報を作成する。そして、多重化手段４は、作成された番組仕様情報と、第１の圧縮手段２によって圧縮された番組データとを多重化する。そして、多重化された情報は、送信手段５によって、放送電波６として放送される。
【０００５】
受信手段７は、このように放送された放送電波６を受信する。多重化分離手段８は、番組データを分離し、第１の復号手段９は、分離した番組データを復号する。そして、表示手段１０は、復号した番組データを表示する。
【０００６】
一方、番組仕様情報は、多重化分離手段８によって分離され、番組仕様情報蓄積手段１１は、分離された番組仕様情報を蓄積する。
【０００７】
【発明が解決しようとする課題】
しかしながら、上記において、ディジタル番組データを編集することや、映像情報という属性からグラフィック情報等の他の属性へ変更すること等、ディジタル番組データの改変、加工については何ら考慮されておらず、パーソナルコンピュータによるディジタル放送受信においては番組の不正な加工を防ぐことが困難であった。
【０００８】
すなわち、受信したディジタル番組データを改変または加工する機能を受信装置が持っている場合、番組の不正な加工を防ぐことが困難であるという課題がある。
【０００９】
本発明は、上記課題を考慮し、受信装置がデジタル番組データを改変または加工する機能を持っている場合でも、受信装置がデータを加工する場合に、不正にデータを改変することを抑止できる番組伝送方法、受信装置及びプログラム記録媒体を提供することを目的とするものである。
【００１０】
【課題を解決するための手段】
上述した課題を解決するために、第１の本発明は、送信装置がディジタル映像情報を含む番組を受信装置に送信する番組伝送方法において、
前記番組を前記受信装置が加工することの可否を示す加工制御情報を、前記番組とともに前記送信装置から前記受信装置へ送信し、
前記加工制御情報は、前記番組の加工の履歴を示す加工履歴情報を含むことを特徴とする番組伝送方法である。
また、第２の本発明は、送信装置がディジタル映像情報を含む番組を受信装置に送信する番組伝送方法において、
前記番組を前記受信装置が加工することの可否を示す加工制御情報を、前記番組とともに前記送信装置から前記受信装置へ送信し、
前記加工制御情報は、前記番組の加工が行われた後の処理を示す加工後処理情報を含むことを特徴とする番組伝送方法である。
【００１１】
また、第３の本発明は、前記加工制御情報は、前記番組の編集を制御する編集制御情報を含むことを特徴とする、第１又は第２の本発明の番組伝送方法である。
【００１２】
また、第４の本発明は、前記編集制御情報は、前記番組を時間的に編集する時間軸方向編集情報を含むことを特徴とする第３の本発明の番組伝送方法である。
【００１３】
また、第５の本発明は、前記編集制御情報は、前記番組を空間的に編集する１フレーム面内編集情報を含むことを特徴とする第３の本発明の番組伝送方法である。
【００１４】
また、第６の本発明は、前記編集制御情報は、前記番組から静止画を取り出す静止画取り出し情報を含むことを特徴とする第３の本発明の番組伝送方法である。
【００１５】
また、第７の本発明は、前記加工制御情報は、前記番組の映像情報の属性を変更する属性変更情報を含むことを特徴とする第１又は第２の本発明の番組伝送方法である。
【００１８】
また、第８の本発明は、前記加工制御情報は、前記番組のデータに電子透かしとして埋め込まれていることを特徴とする第１又は第２の本発明の番組伝送方法である。
【００１９】
また、第９の本発明は、前記番組のデータに電子透かしとして埋め込まれているとは、前記データが圧縮される過程において、前記加工制御情報が前記データに埋め込まれたものであることを特徴とする第８の本発明の番組伝送方法である。
【００２０】
また、第１０の本発明は、前記番組のデータに電子透かしとして埋め込まれているとは、前記データが圧縮される前に、前記加工制御情報が前記データに埋め込まれたものであることを特徴とする第８の本発明の番組伝送方法である。
【００２１】
また、第１１の本発明は、前記加工制御情報は、暗号化して伝送されることを特徴とする第１又は第２の本発明の番組伝送方法である。
また、第１２の本発明は、前記加工後処理情報は、前記番組の再配信を禁止するあるいは再配信を許可する情報を含むものであることを特徴とする第２の本発明の番組伝送方法である。
また、第１３の本発明は、前記加工後処理情報は、前記番組の表示を禁止する又は表示を許可する情報を含むものであることを特徴とする第２の本発明の番組伝送方法である。
【００２２】
また、第１４の本発明は、第１又は第２の本発明の番組伝送方法によって伝送された番組とその番組についての前記加工制御情報とを受信する受信手段と、
前記加工制御情報を抽出する加工制御情報抽出手段と、
前記加工制御情報に従って前記番組を加工する加工手段とを備えたことを特徴とする受信装置である。
【００２３】
また、第１５の本発明は、前記加工制御情報は、前記番組の編集を制御する編集制御情報を含み、
前記加工手段は、前記編集制御情報に従って、前記番組を編集することを特徴とする第１４の本発明の受信装置である。
【００２４】
また、第１６の本発明は、前記編集制御情報は、前記番組を時間的に編集する時間軸方向編集情報を含み、
前記加工手段は、前記時間軸方向編集情報に従って、前記番組に対して前記時間軸方向編集を行うことを特徴とする第１５の本発明の受信装置である。
【００２５】
また、第１７の本発明は、前記編集制御情報は、前記番組を空間的に編集する１フレーム面内編集情報を含み、
前記加工手段は、前記１フレーム面内編集情報に従って、前記番組に対して前記１フレーム面内編集を行うことを特徴とする第１５の本発明の受信装置である。
【００２６】
また、第１８の本発明は、前記編集制御情報は、前記番組から静止画を取り出す静止画取り出し情報を含み、
前記加工手段は、前記静止画取り出し情報に従って、前記番組から静止画を取り出すことを特徴とする第１５の本発明の受信装置である。
【００２７】
また、第１９の本発明は、前記加工制御情報は、前記番組の映像情報の属性を変更する属性変更情報を含み、
前記加工手段は、前記属性変更情報に従って、前記番組の映像情報の属性を変更することを特徴とする第１４の本発明の受信装置である。
【００２８】
また、第２０の本発明は、前記加工制御情報抽出手段は、前記加工履歴情報を抽出し、
前記加工手段は、前記加工制御情報に従って、前記抽出された加工履歴情報を更新することを特徴とする第１４の本発明の受信装置である。
【００２９】
また、第２１の本発明は、前記加工履歴情報は、前記番組の映像情報の属性を変更したかどうかを示す情報を含むことを特徴とする第２０の本発明の受信装置である。
【００３０】
また、第２２の本発明は、前記加工履歴情報は、前記番組の著作権者の世代を管理する世代管理情報を含むことを特徴とする第２０の本発明の受信装置である。
【００３１】
また、第２３の本発明は、前記加工制御情報抽出手段は、前記加工後処理情報をも抽出し、
前記加工手段は、前記加工後処理情報に従って、前記加工後の番組を後処理することを特徴とする第１４の本発明の受信装置である。
【００３２】
また、第２４の本発明は、前記加工後処理情報は、前記加工後の番組の記録を許可するかどうかを示す記録許可情報を含むことを特徴とする第１４の本発明の受信装置である。
【００３３】
また、第２５の本発明は、前記加工制御情報は、前記番組のデータに電子透かしとして埋め込まれていることを特徴とする第１４の本発明の受信装置である。
【００３４】
また、第２６の本発明は、前記番組のデータに電子透かしとして埋め込まれているとは、前記データが圧縮される過程において、前記加工制御情報が前記データに埋め込まれたものであることを特徴とする第２５の本発明の受信装置である。
【００３５】
また、第２７の本発明は、前記番組のデータに電子透かしとして埋め込まれているとは、前記データが圧縮される前に、前記加工制御情報が前記データに埋め込まれたものであることを特徴とする第２５の本発明の受信装置である。
【００３６】
また、第２８の本発明は、前記加工制御情報は、暗号化して伝送されることを特徴とする第１４の本発明の受信装置である。
また、第２９の本発明は、前記加工後処理情報は、前記加工後の前記番組の再配信を禁止する又は再配信を許可する情報を含むことを特徴とする第１４の本発明の受信装置である。
また、第３０の本発明は、前記加工後処理情報は、前記加工後の前記番組の表示を禁止する又は表示を許可する情報を含むことを特徴とする第１４の本発明の受信装置である。
【００３７】
また、第３１の本発明は、第１の本発明の番組伝送方法の前記番組を前記受信装置が加工することの可否を示す加工制御情報を、前記番組とともに前記送信装置から前記受信装置へ送信する工程をコンピュータにより実行させるためのプログラムを記録したプログラム記録媒体であって、
コンピュータにより読み取り可能であることを特徴とするプログラム記録媒体である。
【００３８】
また、第３２の本発明は、第１４の本発明の受信装置の、第１又は第２の本発明の番組伝送方法によって伝送された番組とその番組についての前記加工制御情報とを受信する受信手段と、前記加工制御情報を抽出する加工制御情報抽出手段と、前記加工制御情報に従って前記番組を加工する加工手段としてコンピュータを機能させるためのプログラムを記録したプログラム記録媒体であって、
コンピュータにより読み取り可能であることを特徴とするプログラム記録媒体である。
【００３９】
【発明の実施の形態】
以下、本発明の実施の形態について、図１〜図８を用いて説明する。
【００４０】
（第１の実施の形態）
図１は、本発明の第１の実施の形態における番組伝送方法及び受信装置を示すブロック図である。
【００４１】
図１において、１〜１１は図９に示す従来例の構成と同様であり、２０は加工制御情報作成手段、２１は加工制御情報抽出手段、２２は加工制御手段、２３は加工手段、３１は送信装置、３２は受信装置である。
【００４２】
以上のように構成された本実施の形態における番組情報伝送方法について、以下に、その動作を述べる。
【００４３】
図１において、送信装置３１の加工制御情報作成手段２０は、番組の加工に関する制御情報、例えば、表１に示すような番組毎に加工制御を示す加工制御情報を作成して番組仕様情報作成手段３に供給する。表１において、加工制御情報は８ビットで表され、ビット７〜ビット０で表されるものとする。
【００４４】
【表１】
0003768760.tif 000002
上記編集には、時間軸方向編集すなわちビデオフレームの順序を入れ替えたり、一部を削除したり、複数のビデオをつなぎあわせたりするものや、１フレーム面内編集すなわち、１フレーム面内において一部の映像を入れ替えたり、切り取ったりするものや、静止画を取り出すものを含んでいる。
【００４５】
ここでは、以下のように番組と加工制御情報が送られるものとする。
【００４６】
【表２】
0003768760.tif 000003
受信装置３２では、番組仕様情報蓄積手段１１から加工制御情報抽出手段２１が加工制御情報を抽出し加工制御手段２２に供給し、加工制御手段２２は、加工手段２３の加工内容を制御する。表２の場合では、ニュースでは、加工制御情報は０００１×××０であるため、編集例えば時間軸方向の順序の入れ替えが可能であり、属性変更例えば映像を切り出してグラフィックアイコン化することが可能であるが再配信は許可されない。ドラマにおいては、加工制御情報が００１１×××０であるため、編集例えば時間軸方向の順序の入れ替えが可能であるが、属性変更例えば映像を切り出してグラフィックアイコン化することや再配信は許可されない。映画では、加工制御情報は１××１×××０であるため、編集、属性変更、再配信いずれも許可されない。有料番組では、加工、再配信、表示が禁止となっている。視聴者創作ビデオでは、加工制御情報は００００×××０であるため、編集、属性変更、再配信いずれも許可される。
【００４７】
加工制御手段２２は、上記加工制御情報に基づいて加工手段２３に対して加工方法例えば、編集等を指示する。
【００４８】
尚、本発明の第１の実施の形態においては、加工制御情報を番組仕様情報に含ませているがこれに限ることはない。
【００４９】
また、表１に示す加工制御情報は８ビットとしているが、８ビットに限ることはない。
【００５０】
また、加工の例として、編集、属性変更、再配信をとりあげているが、これらに限ることはない。
【００５１】
以上のように、本発明の第１の実施の形態によれば、送信装置３１が放送する番組おのおのに対して付加する加工制御情報によって番組が受信装置３２に勝手に加工されることを防ぐことができるという利点があり、一方、受信装置３２においては、送信装置３１が許諾する範囲で自由に番組を加工することができるので、放送の利用機会が増加するという利点がある。
【００５２】
なお、本実施の形態の受信装置３２は本発明の受信装置の例であり、本実施の形態の加工制御手段２２と加工手段２３は本発明の加工手段の例である。また、本実施の形態の加工制御情報は本発明の加工制御情報の例であり、本実施の形態の加工制御情報は本発明の加工後処理情報、加工履歴情報も兼ねている。すなわち、本実施の形態の編集禁止及び編集許可は本発明の編集制御情報の例であり、本実施の形態の加工禁止及び加工許可は本発明の加工制御情報の例であり、本実施の形態の属性変更禁止及び属性変更許可は本発明の属性変更情報の例であり、本実施の形態の再配禁止及び再配信許可は本発明の加工後処理情報の例であり、本実施の形態の表示禁止及び表示許可は本発明の加工後処理情報の例である。
【００５３】
（第２の実施の形態）
図２は、本発明の第２の実施の形態による番組伝送方法及び受信装置を示すブロック図であり、世代管理情報を伝送する場合である。図２にて、１〜８、１１は図９に示す従来の構成と同一であり、２０〜２３、３１、３２は図１に示す本発明の第１の実施の形態と同一であり、４２は世代管理情報作成手段、４３は配信手段、４４は世代管理情報変更手段、４５は属性情報変更手段、４６は加工制御情報変更手段、４７はネットワーク例えばインタネットである。
【００５４】
以下、図２を用いて説明する。送信装置３１において、世代管理情報作成手段４２は、例えば表３に示す世代管理情報（加工制御情報のビット３）を作成して加工制御情報作成手段２０に供給する。表３の世代管理情報（ビット３）において、０は第１次著作権者、１は第２次著作権者を表すものとする。また、属性情報は加工制御情報のビット２とし、属性０は映像、属性１がグラフィック情報とする。
【００５５】
【表３】
0003768760.tif 000004
受信装置32においては、加工手段２３で映像を時間軸方向に編集するすなわちビデオの一部を抜き取るものとし、更に、映像からアイコンを作成する。加工制御情報抽出手段２１で抽出された加工情報のうちで世代管理情報は０となっている。ここで、受信装置３２の世代管理情報変更手段４４は、視聴者創作ビデオを加工することによって世代管理情報を１に書き換える。これによって第２次加工者であることが示される。また、更に、ビデオからグラフィックアイコンを作成するので、属性情報変更手段４５は属性変更したことを加工制御情報変更手段４６に通知する。受信側３２で書き換え後の加工制御情報を表４に示す。
【００５６】
【表４】
0003768760.tif 000005
加工制御情報変更手段４６は、加工制御情報を表４の通り変更し、配信手段４３は加工後の番組と変更後の加工制御情報とをインターネット４７によって配信する。その他の動作は図１に示す本発明の第１の実施の形態と同様である。
尚、本発明の実施の形態２においては、加工制御情報を番組仕様情報に含ませているがこれに限ることはない。
【００５７】
以上のように、本発明の第２の実施の形態によれば、送信側３１が放送する番組おのおのに対して付加する番組仕様情報によって番組が受信側３に勝手に加工されることを防ぐことができるのみでなく、著作権者の世代を示すことができるとともに、属性が変更されたことも示すことができ著作権者の世代、属性変更を管理することができるという利点がある。
【００５８】
なお、本実施の形態の受信装置３２は本発明の受信装置の例であり、本実施の形態の加工制御手段２２、加工手段２３、加工制御情報変更手段４６、属性情報変更手段４５、世代管理情報変更手段４４は本発明の加工手段の例である。また、本実施の形態の加工制御情報は本発明の加工制御情報の例であり、本実施の形態の加工制御情報は本発明の加工後処理情報、加工履歴情報も兼ねている。すなわち、本実施の形態の編集禁止及び編集許可は本発明の編集制御情報の例であり、本実施の形態の加工禁止及び加工許可は本発明の加工制御情報の例であり、本実施の形態の属性変更禁止及び属性変更許可は本発明の属性変更情報の例であり、本実施の形態の再配信禁止及び再配信許可は本発明の加工後処理情報の例であり、本実施の形態の表示禁止及び表示許可は本発明の加工後処理情報の例であり、本実施の形態の属性情報は本発明の属性を変更したかどうかを示す情報の例であり、本実施の形態の世代管理情報と属性情報は本発明の加工履歴情報の例である。
【００５９】
（第３の実施の形態）
図３は、本発明の第３の実施の形態による番組伝送方法及び受信装置を示すブロック図であり、番組を加工して記録を行う場合である。図３にて、１〜１１は図９に示す従来の構成と同一であり、２０〜２３、３１、３２は図１に示す本発明の第１の実施の形態と同一であり、４６は図２に示す本発明の第２の実施の形態と同一であり、５１は記録手段である。
【００６０】
以下、図３を用いて説明する。受信側３２において、加工手段２３によって加工された番組は記録手段５１に記録される。一方、加工制御情報抽出手段２１によって抽出された番組の加工制御情報を表５に示す。表５において、記録可否を加工制御情報のビット１によって示し、０は記録可、１は記録不可を示す。
【００６１】
【表５】
0003768760.tif 000006
受信装置32においては、加工制御情報のビット０が０となっているので、記録手段５１によって記録する。その他の動作は図１に示す本発明の第１の実施の形態と同様である。
【００６２】
尚、本発明の実施の形態３においては、加工制御情報を番組仕様情報に含ませているがこれに限ることはない。
【００６３】
以上のように、本発明の第３の実施の形態によれば、送信装置３１が放送する番組おのおのに対して付加する加工制御情報において、記録可能となっている場合には、加工した番組を受信側３２の記録手段に記録することができるという利点がある。
【００６４】
なお、本実施の形態の受信装置３２は本発明の受信装置の例であり、本実施の形態の加工制御手段２２、加工手段２３、加工制御情報変更手段４６は本発明の加工手段の例である。また、本実施の形態の加工制御情報は本発明の加工制御情報の例であり、本実施の形態の加工制御情報は本発明の加工後処理情報、加工履歴情報も兼ねている。また、、本実施の形態の記録不可及び記録可は本発明の加工後処理情報の例である。
【００６５】
（第４の実施の形態）
図４は、本発明の第４の実施の形態による番組伝送方法及び受信装置を示すブロック図であり、加工制御情報を透かし情報として伝送する場合で、加工制御情報が番組仕様情報でなく圧縮ビデオ情報に透かし情報として埋め込まれる点が図１に示す本発明の実施の形態１とは異なる。図４にて、１、３〜５、７〜８、１０、１１は図９に示す従来の構成と同一であり、２２、２３、３１〜３２は図１に示す本発明の第１の実施の形態と同一であり、５５は透かし情報作成手段、５６は第２の圧縮手段、５７は第２の復号手段、５８は第１の加工制御情報分離手段である。
【００６６】
図５は第２の圧縮手段５６の１例を示す図であり、６０は番組データ１から入力される番組情報、６１は透かし情報作成手段５５から入力される透かし情報、６２は透かし情報埋め込みＤＣＴ手段、６３は量子化手段、６４は逆量子化手段、６５は透かし情報除去逆ＤＣＴ（Ｄｉｓｃｒｅｔｅ  Ｃｏｓｉｎ  Ｔｒａｓｎｆｏｒｍ）手段、６６は第１の動き補償手段、６７はＶＬＣ（Ｖａｒｉａｂｌｅｌｅｎｇｔｈ  Ｃｏｄｉｎｇ）手段、６８は合成手段、６９は符号化制御手段である。
【００６７】
図６は第２の復号手段５７の１例を示す図であり、７０は多重化情報分離手段８から出力される分離された圧縮ビデオ情報、７１はＶＬＤ（ＶａｒｉａｂｌｅＬｅｎｇｔｈ  Ｄｅｃｏｄｉｎｇ）手段、７２は逆量子化手段、７３は透かし情報分離逆ＤＣＴ手段、７４は透かし情報を含むデータ、７５は第２の動き補償手段、７６は復号ビデオ情報である。
【００６８】
以下、図４〜図６を用いて説明する。送信装置３１では、加工制御情報作成手段２０によって加工制御情報が作成され、透かし情報作成手段５５に供給される。透かし情報作成手段５５で作成された透かし情報６１は第２の圧縮手段５６の透かし情報埋め込みＤＣＴ手段６２に供給される。透かし情報埋め込みＤＣＴ手段６２では、透かし情報作成手段５５によって作成された透かし情報６１に従って、ＤＣＴ係数が変更される。すなわち、８×８画素のＤＣＴ変換された結果をＲ（ｕ，ｖ）（ｕ，ｖ＝０〜７の正整数）とすると、例えば、加工制御情報として、（ｕ，ｖ）＝（７，７）の１ビットを用いるとする。画像サイズを７２０×４８０、３０フレーム／秒とすると、１秒あたり１６２，０００ビット（９０×６０×３０ビット）の情報量を確保することができるので、表１に示すような加工制御情報を埋め込むことは十分可能である。
【００６９】
透かし情報埋め込みＤＣＴ手段６２によって透かし情報を埋め込まれたＤＣＴ係数は量子化手段６３で量子化され、ＶＬＣ手段６７に供給されるとともに、逆量子化手段６４を経て、透かし情報除去逆ＤＣＴ手段６５によって（ｕ，ｖ）＝（７，７）をもとの値に戻して第１の動き補償手段６６へ加えられる。ＶＬＣ手段６７の出力は、合成手段６８に加えられる。合成手段６８の出力は符号化制御手段６９を経て量子化手段６３に戻される。第２の圧縮手段５６の出力は多重化手段４で番組仕様情報と多重化され送信手段５から送信される。
【００７０】
受信側３２では、受信手段７で受信された信号は多重化分離手段８で番組仕様情報と番組データとしての圧縮ビデオ情報が分離され、圧縮ビデオ情報７０は第２の復号手段５７に加えられ、ＶＬＤ手段７１で可変長復号され、逆量子化手段７２で逆量子化され、透かし情報分離逆ＤＣＴ手段７３で逆ＤＣＴ変換が行われるとともに、上記Ｒ（ｕ，ｖ）のうちの加工制御情報として、（ｕ，ｖ）＝（７，７）の１ビットを分離して透かし情報７４として出力する。透かし情報分離逆ＤＣＴ手段７３の出力は第２の動き補償手段７５を経て復号ビデオ情報７６として出力され、加工手段２３に加えられる。
【００７１】
一方、透かし情報７４は第１の加工制御情報分離手段５８へ加えられ、加工制御情報が分離され加工手段２３へ加えられ、番組データが加工制御情報に従って加工される。その場合、例えば表１に示す有料番組では表示も禁止となっているので加工のみならず表示も行われない。その他の動作は図１に示す本発明の第１の実施の形態と同様である。
【００７２】
尚、透かし情報埋め込みＤＣＴ手段６２における透かし情報の埋め込み方法は本実施の形態に示すような（ｕ，ｖ）＝（７，７）を変更する方法に限らない。
【００７３】
また、第２の圧縮手段５６への透かし情報の埋め込み方法は本実施の形態に示すようなＤＣＴ係数によるものに限らず、量子化への埋め込みによるものや動き補償への埋め込みによる方法でもよい。
【００７４】
以上のように、本発明の第４の実施の形態では、加工制御情報を透かし情報として圧縮ビデオ情報の中に埋め込むことができるので安全性が増すという利点を有している。
【００７５】
なお、本実施の形態の受信装置３２は本発明の受信装置の例であり、本実施の形態の加工制御手段２２、加工手段２３、は本発明の加工手段の例であり、本実施の形態の第２の復号手段５７、第１の加工制御情報分離手段５８は本発明の加工制御情報抽出手段の例である。
【００７６】
（第５の実施の形態）
図７は、本発明の第５の実施の形態による番組伝送方法及び受信装置を示すブロック図であり、加工制御情報を透かし情報として非圧縮のビデオ情報に埋め込み伝送する場合で、加工制御情報が番組仕様情報でなく非圧縮ビデオ情報に透かし情報として埋め込まれる点が図１に示す本発明の実施の形態と異なる。図７にて、１〜２、４〜５、７〜１０は図９に示す従来の構成と同一であり、２０、２２、２３、３１〜３２は図１に示す本発明の第１の実施の形態と同一であり、５５は図４に示す本発明の第４の実施の形態と同一であり、８１は透かし情報埋め込み手段、８２は第２の加工制御情報抽出手段である。
【００７７】
以下、図７を用いて説明する。送信側３１では、加工制御情報作成手段２０によって加工制御情報が作成され、透かし情報作成手段５５に供給される。透かし情報作成手段５５で作成された透かし情報６１は透かし情報埋め込み手段８１によって、番組データ１から供給される非圧縮ビデオ情報に例えば非圧縮ビデオ情報を１画素当たり８ビットとするとそのうちの最下位ビットに埋め込まれる。また、受信側では、第１の復号手段９の出力信号から第２の加工制御情報抽出手段８２によって加工制御情報が抽出され加工手段２３に加えられる。その他の動作は、本発明の実施の形態１と同一である。
【００７８】
尚、加工情報のビット０は表示可否を示すものであるが、表示不可となっている場合には、加工手段２３で表示を停止することができる。
【００７９】
また、透かし情報を埋め込む方法は、本実施の形態のようにビデオ情報の最下位ビットに埋め込む方法に限らないのは言うまでもない。
【００８０】
以上のように、本発明の第５の実施の形態では、加工制御情報を透かし情報として非圧縮ビデオ情報の中に埋め込むことができるので復号後のビデオ信号に対する安全性も維持することができるという利点を有している。
【００８１】
なお、本実施の形態の受信装置３２は本発明の受信装置の例であり、本実施の形態の加工制御手段２２、加工手段２３、は本発明の加工手段の例であり、本実施の形態の第２の加工制御情報抽出手段８２、第１の加工制御情報抽出手段８２は本発明の加工制御情報抽出手段の例である。
【００８２】
（第６の実施の形態）
図８は、本発明の第６実施の形態による番組情報伝送方法を示すブロック図であり、受信側からの要求に応じて有料で加工制御情報を送信側が受信側に提供する点が図１に示す本発明の実施の形態と異なる。図８にて、１〜５、７〜１１は図９に示す従来の構成と同一であり、２２〜２３、３１〜３２は図１に示す本発明の第１の実施の形態と同一であり、８９は暗号化加工制御情報作成手段、９０は鍵作成手段、９１は通信手段、９２は通信制御手段、９３は鍵抽出手段、９４は暗号化加工制御情報抽出手段、９５はインターネットである。
【００８３】
以下、図８を用いて説明する。受信側３２では通信制御手段９２から有料による番組加工情報提供の要求をインターネット９０を通じて送ると、送信側３１では通信手段９１が要求を受け取り鍵作成手段９０が暗号化鍵を作成し、暗号化加工情報作成手段８９は暗号化された加工情報を作成して番組仕様情報作成手段３に送り、番組仕様情報と多重化する。受信側では、鍵抽出手段９３が上記暗号化鍵を抽出し、暗号化加工制御情報抽出手段９４に送って暗号化された加工情報を解読して加工制御手段２２に送る。その他の動作は、本発明の実施の形態１と同一である。
【００８４】
なお、本実施の形態の鍵抽出手段９３、暗号化加工制御情報抽出手段９４は本発明の加工制御情報抽出手段の例であり、本実施の形態の加工制御手段２２、加工手段２３は本発明の加工手段の例である。
【００８５】
なお、上記鍵は図４〜６に示す本発明の第４の実施の形態、図７に示す本発明の第５の実施の形態の場合でも同様であり、正しい鍵が送信側から配信されている場合にのみ透かし情報を取り出すことあるいは番組のビデオ情報を取り出すことを可能とすることができるのは言うまでもない。
【００８６】
また、加工情報のビット０は表示可否を示すものであるが、表示不可となっている場合には、加工手段２３で表示を停止することができる。
【００８７】
以上のように、本発明の実施の形態５では、加工制御情報を暗号化して送り、課金によって加工を許諾することができるので安全性を維持することができるとともに加工を有料化して有料番組提供を行うことができるという利点を有している。
【００８８】
また、本発明の第１〜６の実施の形態において、コピー禁止、１回コピー許可、これ以上コピー不可、コピー自由等のコピー制御情報を加工制御情報に含めてもよいことは言うまでもない。なお、この場合、コピー制御情報は、本発明の加工後処理情報に対応する。
【００８９】
また、本発明の番組伝送方法の全部または一部のステップの全部または一部の動作をハードウェアで実現しても構わないし、コンピュータのプログラムによってソフトウェア的に実現しても構わない。
【００９０】
また、本発明の受信装置の全部または一部の手段の全部または一部の機能をハードウェアで実現しても構わないし、コンピュータのプログラムによってソフトウェア的に実現しても構わない。
【００９１】
また、本発明の番組伝送方法の全部または一部のステップの全部または一部の動作をコンピュータにより実行させるためのプログラムおよび／またはデータを記録したプログラム記録媒体であって、コンピュータにより読み取り可能であり、読み取られた前記プログラムおよび／またはデータが前記コンピュータと協動して前記機能を実行することを特徴とするプログラム記録媒体も本発明に属する。
【００９２】
また、本発明の受信装置の全部または一部の手段の全部または一部の機能をコンピュータにより実行させるためのプログラムおよび／またはデータを記録したプログラム記録媒体であって、コンピュータにより読み取り可能であり、読み取られた前記プログラムおよび／またはデータが前記コンピュータと協同して前記機能を実行することを特徴とするプログラム記録媒体も本発明に属する。
【００９３】
【発明の効果】
以上説明したところから明らかなように、本発明は、送信側が放送する番組おのおのに対して番組が受信側に勝手に加工されることを防ぐことができるという利点があり、一方、送信側が許諾する範囲で自由に番組を加工することができるので、放送の利用機会が増加するという利点がある番組伝送方法、受信装置及びプログラム記録媒体を提供することが出来る。
【００９４】
また、本発明は、上記効果に加えて、送信側が放送する番組おのおのに対して属性の変更の履歴を保存することができるという利点がある番組伝送方法、受信装置及びプログラム記録媒体を提供することが出来る。
【００９５】
また、本発明は、上記効果に加えて、著作権者の世代を示すことができるという利点がある番組伝送方法、受信装置及びプログラム記録媒体を提供することが出来る。
【００９６】
また、本発明は、送信側が放送する番組おのおのに対して付加する加工制御情報において、記録可能となっている場合には、加工した番組を受信側で記録することができるという利便性がある番組伝送方法、受信装置及びプログラム記録媒体を提供することが出来る。
【００９７】
また、本発明は、加工制御情報を透かし情報として圧縮ビデオ情報の中に埋め込むことができるので安全性が増すという利点を有する番組伝送方法、受信装置及びプログラム記録媒体を提供することが出来る。
【００９８】
また、本発明は、加工制御情報を透かし情報として非圧縮ビデオ情報の中に埋め込むことができるので復号後のビデオ信号に対する安全性も維持することができるという利点を有する番組伝送方法、受信装置及びプログラム記録媒体を提供することが出来る。
【００９９】
また、本発明は、加工制御情報を暗号化して送るので、安全性を維持することができるという利点を有する番組伝送方法、受信装置及びプログラム記録媒体を提供することが出来る。
【図面の簡単な説明】
【図１】本発明の第１の実施の形態における番組伝送方法及び受信装置の概略構成を示すブロック図である。
【図２】本発明の第２の実施の形態における番組伝送方法及び受信装置の概略構成を示す図である。
【図３】本発明の第３の実施の形態における番組伝送方法及び受信装置の概略構成を示すブロック図である。
【図４】本発明の第４の実施の形態における番組伝送方法及び受信装置の概略構成を示すブロック図である。
【図５】本発明の第４の実施の形態における第２の圧縮手段の概略構成を示すブロック図である。
【図６】本発明の第４の実施の形態における第２の復号手段の概略構成を示すブロック図である。
【図７】本発明の第５の実施の形態における番組伝送方法及び受信装置の概略構成を示すブロック図である。
【図８】本発明の第６の実施の形態における番組伝送方法及び受信装置の概略構成を示すブロック図である。
【図９】従来の構成図である。
【符号の説明】
１  番組データ
２  第１の圧縮手段
４  多重化手段
８  多重化分離手段
９  第１の復号手段
１０  表示手段
２０  加工制御情報作成手段
２１  加工制御情報抽出手段
５５  透かし情報作成手段
５６  第２の圧縮手段
５７  第２の復号手段
【図１】
0003768760.tif 000007
【図２】
0003768760.tif 000008
【図３】
0003768760.tif 000009
【図４】
0003768760.tif 000010
【図５】
0003768760.tif 000011
【図６】
0003768760.tif 000012
【図７】
0003768760.tif 000013
【図８】
0003768760.tif 000014
【図９】
0003768760.tif 000015